(57)【特許請求の範囲】
【請求項１】
比較的硬質の把持部材と比較的軟質のシール部材との組合せから成る容器蓋において、
該把持部材は下面から垂下する連結柱を有し、該連結柱の外周面には雄ねじが形成されており、該シール部材にはその上面から下方に延びる盲穴が形成されており、該盲穴の内径は該把持部材の該連結柱の外周面に形成されている該雄ねじの外径よりも小さく、該連結柱を該盲穴に強制的にねじ込むことによって該把持部材と該シール部材とが連結されており、
該把持部材の下面には断面が円形状である凹部が形成されており、該凹部の内周面には周方向に間隔をおいて複数個の係止爪が形成されており、該連結柱は該凹部の底面から垂下しており、該把持部材と該シール部材とを連結すると該係止爪が該シール部材の上部外周面に係止せしめられ、該係止爪は該雄ねじを該盲穴にねじ込む際の該雄ねじの回転方向に見て上流側に位置する比較的緩やかな傾斜面と下流側に位置する比較的急激な傾斜面とを有し、
該シール部材は発泡合成樹脂から形成されている、
ことを特徴とする容器蓋。
【請求項２】
該把持部材の該連結柱を強制的にねじ込む前の状態において、該シール部材は略円柱形状である、請求項１記載の容器蓋。
【請求項３】
該シール部材の上部外周面には周方向に間隔をおいて複数個の係止切欠が形成されている、請求項１又は２記載の容器蓋。
【発明の詳細な説明】
【０００１】
【発明の属する技術分野】
本発明は、比較的硬質の把持部材と比較的軟質のシール部材との組合せから成る容器蓋に関する。
【０００２】
【従来の技術】
飲料用容器、特にウィスキー或いはブランデーの如き洋酒等を収容したガラス壜である容器に適する容器蓋として、特公昭６２−３４６１８号公報には、ガラス又は硬質合成樹脂の如き比較的硬質の材料から形成された把持部材と、発泡合成樹脂の如き比較的軟質の材料から形成されたシール部材との組合せから成る容器蓋が開示されている。
【０００３】
上記特公昭６２−３４６１８号公報の図１に図示された実施形態においては、把持部材は略直方体形状の主部とこの主部の下面から垂下する略円柱形状の垂下脚とを有している。シール部材は略円筒形状であり、把持部材の垂下脚の外周面に嵌合せしめられている。上記特公昭６２−３４６１８号公報の図２に図示されている実施形態においては、把持部材は円板形状であり、その下面には円形凹部が形成されている。シール部材は円柱形状であり、その上部が把持部材の円形凹部内に挿入され、接着剤によってそこに接合されている。
【０００４】
【発明が解決しようとする課題】
而して、上記特公昭６２−３４６１８号公報の図１に図示されている実施形態には、把持部材の垂下脚の所要位置にシール部材を確実に固定するために、シール部材の上方及び下方において垂下脚に合成樹脂製リングの如き係止リングを固定する必要がある等に起因して、製作工程が充分に簡潔でなく製作コストが比較的高くなる、という問題がある。一方、上記特公昭６２−３４６１８号公報の図２に図示されている実施形態には、接着剤による接合では充分な接合強度が得られない場合が少なくなく、容器の口頸部から容器蓋を離脱せしめて容器を開封する際に把持部材とシール部材とが分離してしまう虞がある。
【０００５】
本発明は上記事実に鑑みてなされたものであり、その主たる技術的課題は、充分簡単且つ安価に製作することができるにもかかわらず把持部材とシール部材とが確実に連結される、新規且つ改良された把持部材とシール部材とから成る容器蓋を提供することである。
【０００６】
【課題を解決するための手段】
本発明によれば、上記技術的課題を解決する容器蓋として、比較的硬質の把持部材と比較的軟質のシール部材との組合せから成る容器蓋において、
該把持部材は下面から垂下する連結柱を有し、該連結柱の外周面には雄ねじが形成されており、該シール部材にはその上面から下方に延びる盲穴が形成されており、該盲穴の内径は該把持部材の該連結柱の外周面に形成されている該雄ねじの外径よりも小さく、該連結柱を該盲穴に強制的にねじ込むことによって該把持部材と該シール部材とが連結されており、
該把持部材の下面には断面が円形状である凹部が形成されており、該凹部の内周面には周方向に間隔をおいて複数個の係止爪が形成されており、該連結柱は該凹部の底面から垂下しており、該把持部材と該シール部材とを連結すると該係止爪が該シール部材の上部外周面に係止せしめられ、該係止爪は該雄ねじを該盲穴にねじ込む際の該雄ねじの回転方向に見て上流側に位置する比較的緩やかな傾斜面と下流側に位置する比較的急激な傾斜面とを有し、
該シール部材は発泡合成樹脂から形成されている、
ことを特徴とする容器蓋が提供される。
【０００７】
該把持部材の該連結柱を強制的にねじ込む前の状態において、該シール部材は略円柱形状であるのが好適である。該シール部材の上部外周面には周方向に間隔をおいて複数個の係止切欠が形成されているのが好都合である。
【０００８】
【発明の実施の形態】
以下、本発明に従って構成された容器蓋の好適実施形態を図示している添付図面を参照して、更に詳細に説明する。
【０００９】
図１を参照して説明すると、本発明に従って構成された容器蓋２は、比較的硬質の材料から形成された把持部材４と比較的軟質の材料から形成されたシール部材６とを組み合わせて構成される。
【００１０】
図示の実施形態における把持部材４は略直方体形状の主部８を有する。主部８の下面には断面が円形状である凹部１０が形成されている。凹部１０の底面から下方に連結柱１２が垂下せしめられている。連結柱１２の主部は円柱形状であり、その先端部は鋭い円錐形状にせしめられている。連結柱１２の主部外周面には雄ねじ１４が配設されている。この雄ねじ１４は所謂逆ねじ、即ち左回りで下方に進む左ねじであるのが好都合である。図１と共に図２を参照することによって理解される如く、凹部１０の内周面には周方向に間隔をおいて複数個、図示の場合は８個、の係止爪１６が形成されているのが好適である。係止爪１６の各々はラチェット爪形態であり、後述するとおりにして雄ねじ１４をシール部材６のねじ込む際の雄ねじ１４の回転方向に見て、（図示の実施形態においては図２において反時計方向）上流側に位置する比較的緩やかな傾斜面１６ａと下流側に位置する比較的急激な傾斜面１６ｂとを有する。かような把持部材４は硬質合成樹脂或いはガラスの如き比較的硬質の材料から形成されていることが重要である。硬質合成樹脂の好適例としては、高級素材感を呈するアクリル樹脂を挙げることができる。
【００１１】
図１を参照して説明を続けると、図示の実施形態におけるシール部材６は略円柱形状である。シール部材６の外径は、上記把持部材４に形成されている上記凹部１０の内径よりも若干小さくせしめられている。シール部材６の下端部にはテーパが形成されていて、外径が漸次減少する円錐台形状にせしめられている。シール部材６の上端部外周面には、周方向に間隔をおいて複数個、図示の場合は８個、の切欠１８が形成されているのが好適である。切欠１８の各々は軸線方向に延びる細長い溝でよい。かようなシール部材６は比較的軟質の材料である発泡合成樹脂から形成されていることが重要である。好適発泡樹脂としては、低密度ポリエチレンとエチレンメチルアクリレートのブレンド物から成る発泡合成樹脂を挙げることができる。
【００１２】
把持部材４とシール部材６とは、雄ねじ１４が形成されている把持部材４の連結柱１２をシール部材６の上端面から強制的にねじ込むことによって相互に連結される。かような連結操作を充分容易に遂行し得るようになすために、所望ならば、図１に二点鎖線で示す如く、シール部材６にその上端面から下方に延びる盲穴２０を形成することもできる。かような盲穴２０の内径は連結柱１２に形成されている雄ねじ１４の外径よりも小さいことが必要である。また、所望ならば、把持部材４の雄ねじ１４の外径を下方に向かって漸次小さくすることもできる。図３を参照することによって理解される如く、シール部材６の上部の連結柱１２が所要とおりにねじ込まれると、連結柱１２の進入に起因してシール部材６の上部は幾分膨出せしめられ、シール部材６の中間部が略円錐台形状、従って容器の口頸部に挿入するのに適した形状、にせしめられる。シール部材６の上端部は把持部材４の凹部１０内に位置せしめられ、シール部材６の膨出せしめられた上端部外周面には、凹部１０の内周面に形成されている係止爪１６が作用する。把持部材４の連結柱１２をシール部材６にねじ込む際には、シール部材６の上端面外周面は若干弾性的に変形されて係止爪１６の緩やかな傾斜面１６ａを通過せしめられる。把持部材４とシール部材６とを所要とおりに連結した後において、把持部材４の連結柱１２をシール部材６から離脱せしめる方向、即ち  シール部材６に対して把持部材４を図３において上方から見て時計方向に相対的に回転せしめんとした場合には、係止爪１６の急激な傾斜面１６ｂがシール部材６の上端部外周面に食い込み、これによって把持部材４の相対的回転が効果的に阻止される。シール部材６の上端部外周面に切欠１８が形成されている場合には、係止爪１６が切欠１８内に係止することによって把持部材４の相対的回転が一層効果的に阻止される。
【００１３】
【発明の効果】
本発明の容器蓋においては、雄ねじが形成されている連結柱をシール部材にねじ込むという簡潔な様式によって把持部材とシール部材とを連結することができ、それ故に充分簡単且つ安価に製作することができる。また、把持部材とシール部材との連結は充分に強固であり、把持部材とシール部材とが偶発的に分離されることはない。
【図面の簡単な説明】
【図１】本発明に従って構成された容器蓋の好適実施形態を、一部を断面で示す分解正面図。
【図２】図１の容器蓋における把持部材を示す底面図。
【図３】図１の容器蓋を、把持部材とシール部材を連結した状態で、一部を断面で示す正面部。
【符号の説明】
２：容器蓋
４：把持部材
６：シール部材
８：把持部材の主部
１０：凹部
１２：連結柱
１４：雄ねじ
１６：係止爪
１８：切欠
２０：盲穴
【図１】
0004349696.tif 000002
【図２】
0004349696.tif 000003
【図３】
0004349696.tif 000004